(57)【特許請求の範囲】
【請求項１】
ハンドルが設けられた前面と，分電盤への取付面となる前記前面に対向する背面と，該前面と該背面とに相隣り合う側面とを有して形成される略箱体形状の器体を備えるとともに，
該器体の側面に電気を受電もしくは給電する端子部を備えた回路遮断器であって，
前記端子部は，回路遮断器に接続可能な母線の中から特定の母線を選択して接続できるよう該端子部の位置をそれぞれの接続位置の間で連続的に移動可能とし，
端子部の接続位置間の移動方向は，前記前面側からの平面視で前面と略並行に移動されて，位置を違えて配設するよう形成され，
前記前面に，器体外部に突出する操作部を設けて，該操作部を前記前面側から操作することにより，端子の位置を前記それぞれの接続位置の間で連続的に往復移動可能に構成したことを特徴とする回路遮断器。
【請求項２】
前記器体外部に突出する操作部の位置に応じて，接続する母線の種類，もしくは，回路遮断器への給電電圧を示す表示部を器体の前面側から視認可能に設けたことを特徴とする請求項１記載の回路遮断器。
【請求項３】
前記回路遮断器の並設方向を幅方向としたときに，前記端子部の少なくとも前記幅方向における両側面部を器体外部に露出させ，該露出した部分を押圧することにより，一方の接続位置から他方の接続位置に端子部を移動可能に設けたことを特徴とする請求項１又は請求項２に記載の回路遮断器。
【発明の詳細な説明】
【技術分野】
【０００１】
本発明は，分電盤に設けられる母線と電気的に接続される回路遮断器に関し，詳しくは，各相の母線のうち接続に必要な母線を選択的に接続する選択式端子装置を有した回路遮断器に係る。
【背景技術】
【０００２】
回路遮断器の端子装置と母線を選択的に接続する例として，
例えば特許文献１及び特許文献２のように，母線側に，回路遮断器の端子と接続する母線を選択的に切替える切替装置を設けたものがある。
【０００３】
特許文献１においては，図３１に示したように，主電路を形成するブスバー（特許文献１の符号１，２，３）と，回路遮断器の端子に接続されるブスバーの足部（特許文献１の符号１０１，３０１，６０１等）の間に，切替装置を設けて構成している。この切替装置は，該切替装置を構成する接続バー（特許文献１の符号６）に設けられた長穴（特許文献１の符号６０２）と切替片（特許文献１の符号８）の穴部に共に貫通させた切替ネジ（特許文献１の符号７）の位置を前記長穴の一端もしくは他端に移動させて導通させる導体を選択し回路遮断器の端子に接続される導体を切替えるものである。
【０００４】
特許文献２においては，図３２に示したように，特許文献１と同じく，主電路を形成するブスバー（特許文献２の符号１１，１２，１３）と，回路遮断器の端子に接続されるブスバーの接続部（特許文献２の符号１３０１，２００１等）の間に，切替装置を設けて構成している。そして切替装置を構成する送り板（特許文献２の符号２０）に設けられた長穴部と筒状導体子（特許文献２の符号１８）に共に貫通させたねじ（特許文献２の符号１７）の位置を前記長穴の一端もしくは他端に移動させて導通させる導体を選択し回路遮断器の端子に接続されるブスバーを切替えるものである。
【０００５】
特許文献３においては，図３３に示したように，回路遮断器側に，接続する母線を選択的に切替える切替部を設けたものである。特許文献３によれば，可動端子部材を，遮断器本体に対して電気的に脱着自在としたり，遮断器本体に対して回転自在に取り付けることにより，遮断器本体に対する可動端子部材の装着位置を変え，各主幹バーとの接続を切替可能とするものである。また，主幹バー接続用の端子金具を，遮断器本体に対して電気的に脱着自在としたり，遮断器本体に対して回転自在に取り付けることにより，遮断器本体に対する端子金具の装着位置を変え，各主幹バーとの接続を切替可能とするものである。
【先行技術文献】
【特許文献】
【０００６】
【特許文献１】特開平９−２７１１０８
【特許文献２】特開２００２−１３５９１２
【特許文献３】特開２００２−１９９５１４
【発明の概要】
【発明が解決しようとする課題】
【０００７】
上述した，母線側に，回路遮断器の端子と接続する母線を選択的に切替える切替装置を設けたものにあっては，次に示したような課題がある。切替装置における切替部を模式的に示した図３４を参照して説明するが，切替の状態を表す長穴の部分に位置するねじ頭に着目すると，（ａ）については，それぞれのねじ頭の並びが規則的であり，回路遮断器に外部の導体のうちどの導体が接続されているのかが一見して把握できる。ここで，一部分の導体について接続を切替えた場合を示した（ｂ）については，図中右側に位置するねじ頭の並び方が左側や中央部分の他のねじ頭の並び方とは変わっており，並び具合を見ることで，選択されている導体が変わっていることが把握できる。ところが，多くの導体について接続を切替えた場合を示した（ｃ）については，ねじ頭の並び方がまちまちで全体的に不規則となり，回路遮断器にどの導体が接続されているのかが非常に把握しづらいものとなる。
【０００８】
このため，接続する外部の導体のうち，一部分の導体のみ接続を変更した場合には，どの導体を回路遮断器に接続しているのかは容易に把握できるが，接続を変更した導体の数が増えてくると，一転して把握が難しくなり，作業をする者にとっては，接続を行うときや接続後に確認を行う場合において誤解が生じやすくなるおそれがあった。回路遮断器に誤った導体を選択して接続した場合には負荷側の電路に不用な電圧が供給されることになり，その場合には負荷側の配線や電気機器に損傷が生じてしまうおそれがある。また，多数のねじの切替を要することから作業性の改善が望まれている。
【０００９】
また，回路遮断器側に，外部の導体を選択的に切替える切替部を設けたものにあっては，次に示したような課題がある。特許文献３においては，回路遮断器に対してどの導体が接続されているのかを，電圧の表示を行うことで把握可能に構成している。
即ち，可動端子部材を，遮断器本体に対して電気的に脱着自在とした例においては，可動端子部材の装着場所が上段であるときには，遮断器本体の上面に設けた表示孔から可動端子部材の上面の色が見え，可動端子部材の装着場所が中段であるときには，可動端子部材の装着部下部隔壁の上面の色が見えることから，それぞれで区別を行い電圧の表示としているものである。
【００１０】
また，可動端子部材を，遮断器本体に対して回転自在に取り付けた例においては，可動端子部材の端面に電圧表示部を設けておき，可動端子部材の位置により選択された電圧を表示しているものである。
【００１１】
このように，表示孔から色を識別することにより電圧の表示として接続されている導体を把握したり，また，電圧表示を確認して接続されている導体を把握する場合にあっては，周囲の明るさや暗かったり，部材の色調が似通っている場合にはその色や表示を確認しづらくなることが予想される。
【００１２】
特に，可動端子部材の装着位置，及び可動端子金具の装着位置は，切替の前後において遮断器本体の前面側（操作ハンドルが設けられている面）から臨んだ場合に互いに重なるように位置するため，回路遮断器を外部の導体に接続した後にあっては，どちらの導体に接続しているのかは，表示孔から見える色もしくは電圧表示によって把握することとなり，導体と端子との接続具合を直接的に確認把握することができず，接続を変更した導体の数が増えてくるとどちらの導体に接続しているのか，作業をする者にとって容易には把握することがしづらくなり，誤解が生じやすくなるおそれがあった。
【００１３】
そこで，本発明は，上記問題に鑑みてなされたもので，
回路遮断器における端子装置により母線を選択的に接続する場合や，前記端子装置と母線を接続した後であっても，複数の回路遮断器に対して，どの回路遮断器がどの母線を選択して接続しているのかを直接的に把握しやすく，
さらに，接続状態を切替える際に工具を不要として，回路遮断器が複数存在する状態であっても，それぞれの回路遮断器に対して接続している母線を直接的に把握しやすく，切替や接続確認における作業性を向上させるとともに，作業をする者にとって誤認を生じさせにくい端子装置を有した回路遮断器を提供することを目的とする。
【課題を解決するための手段】
【００１４】
本発明に係る回路遮断器は，上述の課題を解決すべく構成されたもので，ハンドルが設けられた前面と，分電盤への取付面となる前記前面に対向する背面と，該前面と該背面とに相隣り合う側面とを有して形成される略箱体形状の器体を備えるとともに，該器体の側面に電気を受電もしくは給電する端子部を備えた回路遮断器であって，前記端子部は，回路遮断器に接続可能な母線の中から特定の母線を選択して接続できるよう該端子部の位置をそれぞれの接続位置の間で連続的に移動可能とし，端子部の接続位置間の移動方向は，前記前面側からの平面視で前面と略並行に移動されて，位置を違えて配設するよう形成され，前記前面に，器体外部に突出する操作部を設けて，該操作部を前記前面側から操作することにより，端子の位置を前記それぞれの接続位置の間で連続的に往復移動可能に構成したことを特徴として構成するとよい。
【００１５】
かかる構成によれば，
器体の前面側から端子部を臨んだ場合に，接続する母線の違いを，器体に対して前面と略並行方向の端子の位置の違いとして目視確認することができ，端子装置と母線とを選択的に接続する場合や，端子装置と母線を接続した後であっても，複数の回路遮断器に対して，どの回路遮断器がどの母線を選択して接続されているのかが直接的に把握しやすい。
このため，作業をする者にとって誤認を生じさせにくく，配線確認作業性が高い回路遮断器を提供することができる。
【００１６】
削除
【００１７】
また，かかる構成によれば，
器体外部に突出した端子部を外部から操作して，端子部をそれぞれの接続位置に移動させることにより，切替の際に工具を不要として，切替や接続確認における作業を効率よく行うことができる。
【００１８】
また，本発明に係る回路遮断器は，前記器体外部に突出する操作部の位置に応じて，接続する母線の種類，もしくは，回路遮断器への給電電圧を示す表示部を器体の前面側から視認可能に設けたことを特徴として構成してもよい。
【００１９】
かかる構成によれば，
回路遮断器を分電盤に取付ける際や取り付けた後においても，回路遮断器に接続される母線の種類や供給される電圧の違いが，器体の前面側からの目視確認により直接的に視認することができ，回路遮断器の多少に係らず，どの回路遮断器がどの母線を選択して接続しているのか直接的に把握しやすく切替や接続確認における作業性を向上させることができる。
【００２０】
また，本発明に係る回路遮断器は，
前記回路遮断器の並設方向を幅方向としたときに，前記端子部の少なくとも前記幅方向における両側面部を器体外部に露出させ，該露出した部分を押圧することにより，一方の接続位置から他方の接続位置に端子部を移動可能に設けたことを特徴として構成してもよい。
【００２１】
かかる構成によれば，端子部自体を押圧して接続位置を切替えることにより，端子の位置がどちらにあるのかが，作業者にとってより判りやすいものとなり，また，端子位置が器体外部から視認しやすくなることにより，接続される母線，接続されない母線を直接的に視認することができる。
【００２２】
削除
【００２３】
削除
【００２４】
削除
【００２５】
削除
【００２６】
削除
【００２７】
削除
【発明の効果】
【００２８】
以上の如く，本発明によれば，回路遮断器における端子装置により母線を選択的に接続する場合や，前記端子装置と母線を接続した後であっても，複数の回路遮断器に対して，どの回路遮断器がどの母線を選択して接続しているのかを直接的に把握しやすく，
さらに，接続状態を切替える際に工具を不要として，回路遮断器が複数存在する状態であっても，それぞれの回路遮断器に対して接続している母線を直接的に把握しやすく，切替や接続確認における作業性を向上させるとともに，作業をする者にとって誤認を生じさせにくい端子装置を有した回路遮断器を提供することができる。
【図面の簡単な説明】
【００２９】
【図１】第１の実施形態を示す回路遮断器の外観斜視図を示す。
【図２】同実施形態に係る回路遮断器の内部構成図を示す。
【図３】同実施形態に係る回路遮断器の選択端子部を示す。
【図４】同実施形態に係る回路遮断器の選択端子部を示す。
【図５】同実施形態に係る表示部を示す。
【図６】同実施形態に係る選択端子部と表示部を組み合わせた図を示す。
【図７】同実施形態に係る回路遮断器のケースに表示部を組み合わせた図を示す。
【図８】同実施形態に係る器体外観図を示す。
【図９】同実施形態に係る回路遮断器の選択端子部の切替え状態を示す。
【図１０】同実施形態に係る回路遮断器の選択端子部の切替え状態を示す。
【図１１】同実施形態に係る回路遮断器の選択端子部の切替え状態を示す。
【図１２】第２の実施形態を示す回路遮断器の外観斜視図を示す。
【図１３】同実施形態に係る選択端子部を切り替えた図を示す。
【図１４】第３の実施形態を示す回路遮断器の外観図を示す。
【図１５】同実施形態に係る選択端子部を切替えた図を示す。
【図１６】同実施形態に係る選択端子部，表示部の図を示す。
【図１７】第３の実施形態を示す回路遮断器の外観図を示す。
【図１８】同実施形態に係る選択端子部を切替えた図を示す。
【図１９】同実施形態に係る選択端子部の構成図を示す。
【図２０】実施例の変形例の図を示す。
【図２１】実施例の変形例の図を示す。
【図２２】第３の実施形態を示す回路遮断器の外観図を示す。
【図２３】同実施形態に係る回路遮断器の内部構造図を示す。
【図２４】同実施形態に係る回路遮断器の器体，選択端子部の外観図を示す。
【図２５】同実施形態に係る回路遮断器の選択端子部の内部構造図を示す。
【図２６】同実施形態に係る回路遮断器の選択端子部の外観図を示す。
【図２７】同実施形態に係る回路遮断器の選択端子部の切替え状態を示す。
【図２８】同実施形態に係る回路遮断器の選択端子部の切替え状態を示す。
【図２９】第４の実施形態に係る回路遮断器を並設した図を示す。
【図３０】第５の実施形態に係る回路遮断器を並設した図を示す。
【図３１】従来の接続状態を表わした図を示す。
【図３２】従来の接続状態を表わした図を示す。
【図３３】従来の接続状態を表わした図を示す。
【図３４】従来の接続状態における複数個所で切替を行った図を示す。
【発明を実施するための最良の形態】
【００３０】
次に本発明の実施形態を図面にて詳細に説明する。
（第１の実施形態）
まず，第１の実施形態に係る回路遮断器について，図１乃至図１１を用いて説明する。
第１の実施形態に係る回路遮断器１は，図１及び図２に示すように，回路遮断器１を併設する方向を幅方向としたときに，該幅方向に分割するケース１０１ａ及び１０１ｂを重ね合わせて構成される略箱体形状の器体を有する。
そして，該器体には，
回路遮断器１に電源を供給するための各極の導体と接続される電源側端子部１０２Ａ，１０２Ｂと，
回路遮断器１の負荷側に電源を供給するための各極の導体と接続される負荷側端子部１０３Ａ，１０３Ｂとが設けられ，
これら電源側端子部１０２Ａ，１０２Ｂと負荷側端子部１０３Ａ，１０３Ｂとの間を電気的に接続する各極の主導体に介在し，電源側と負荷側を電気的に入切接続する固定接点１０４Ａ，１０４Ｂと，
該固定接点１０４Ａ，１０５Ｂと各々接離自在に対向する可動接点１０５Ａ，１０５Ｂを固着した可動接触子１０６Ａ，１０６Ｂと，
これら可動接触子１０６Ａ，１０６Ｂを開閉駆動する開閉機構１０７と，
該開閉機構１０７とリンク１０９により接続され器体の外部から開閉機構１０７を操作する操作部となるハンドル１０８とが配設されている。
【００３１】
前記電源側端子部１０２Ａ，１０２Ｂは，
器体の操作部が設けられた面を前面ａとし，分電盤への取付面となる前記前面ａに対向する面を背面ｂとし，該前面ａと該背面ｂとに相隣り合う面を側面ｃとしたときに，器体の長手方向における側面ｃの一端に，ケース１０１ａ，１０１ｂの間に挟み込まれるように設けられている。また，電源側端子部のうち１０２Ａは器体に固定されて配設される端子部（固定端子部という）で，１０２Ｂは器体内を，一方のケース１０１ｂ側から他方のケース１０１ａ側に，即ち前記幅方向に連続的に移動可能に設けられる端子部（選択端子部という）である。
【００３２】
器体の電源側には，前記固定されて配設される端子部１０２Ａ並びに移動可能に設けられる端子部１０２Ｂのそれぞれの位置に対応するよう，分電盤内に予め３本の母線Ｌ１，Ｌ２，Ｎの接続部が配置されており，前記固定端子部１０２Ａは，母線Ｌ２と接続され，前記選択端子部１０２Ｂは，一方の位置の場合は母線Ｌ１と接続され，他方の位置の場合は母線Ｎと接続される。
【００３３】
前記固定端子部１０２Ａ並びに選択端子部１０２Ｂは，その内部に，母線と接続するための端子として，断面が略徳利状の略コの字状の先部を絞った形状に成形された刃受を収納している。該刃受は前記絞った形状の部分で母線を挟み込み，負荷側に電源を供給する。
【００３４】
図３及び図４には，前記選択端子部１０２Ｂと，該選択端子部１０２Ｂに収納される刃受１０２Ｂ１を示している。
選択端子部１０２Ｂは，その外郭が刃受１０２Ｂ１とは電気的に接続されていない非充電部として構成されている。
【００３５】
選択端子部１０２Ｂの前面側には前記幅方向に貫通した孔部１０２Ｂ３を設けており，この孔部１０２Ｂ３には，図５に示したような前記幅方向において略中央部を境に色分け（１０２Ｂ４ａ，１０２Ｂ４ｂ）された平板状の樹脂部材１０２Ｂ４を，図６のように貫挿する。
【００３６】
また，選択端子部１０２Ｂの前面側略中央部には，回路遮断器を構成する器体の外部に突出する操作部１０２Ｂ２を設けている。該操作部１０２Ｂ２は，略Ｔの字状に選択端子部１０２Ｂと一体成形している。選択端子部１０２Ｂの背面側には，図７に示したように，器体の選択端子部１０２Ｂに形成された凸部１０２ｂ２と嵌合する凹部１０２Ｂ５を設けている。なお，回路遮断器１の器体には，前記操作部１０２Ｂ２の移動軌跡を逃げるように開口部１０１ｂ３が設けられている。
【００３７】
選択端子部１０２Ｂを回路遮断器の器体に取付ける場合には，図７に示したように，前記平板状の樹脂部材１０２Ｂ４を器体の電源側端子部１０２に予め設けられた嵌め込み部１０１ｂ１に嵌め込み，該平板状の樹脂部材１０２Ｂ４を前記選択端子部１０２Ｂの前面側に設けた前記幅方向に貫通した孔部１０２Ｂ３に貫挿させるとともに，前記凹部１０２Ｂ４を凸部１０２ｂ２に沿わせ，また，前記略Ｔの字状の操作部１０２Ｂ２の首下部が前記開口部１０１ｂ３に沿わせるように配設する。選択端子部１０２Ｂを回路遮断器の器体に取付けた状態が図２である。
【００３８】
選択端子部の刃受と回路遮断器内部の主導体とはより線により接続されており，前記幅方向に連続的に移動するときの妨げにならないよう，移動量分の余裕を持たせた長さとしている。
【００３９】
また，電源側端子部１０２における刃受と，器体内部の主導体との電気的な接続は，この他，器体の内部において，導体で形成した摺動部を設けて，この摺動部に圧接する弾性的な圧接部を刃受に形成し，該摺動部に圧接させて電気的な接続を行ったり，刃受の一部に摺動部をクランプするクランプ部を形成して前記摺動部にクランプさせて端子と摺動部とを電気的に接続してもよい。なお，摺動部と器体内部の導体との電気的な接続は，より線などの電線や端子板などの平板を適宜加工して行うとよい。
【００４０】
図９乃至図１１には，前記選択端子部１０２Ｂを一方の位置から他方の位置に移動させた場合の操作部及び刃受の位置の変化の状態を示している。図９乃至図１１において，（ａ）は前記前面側から臨んだ場合で，（ｂ）は前記回路遮断器の長手方向の側面側から臨んだ場合である。選択端子部１０２Ｂを，操作部１０２Ｂ２を操作することにより前記前面側からの平面視で前面と略並行な幅方向に移動して，一方から他方にその位置を変える。
【００４１】
このとき，前記開口部１０１ｂ３の前記前面側からは，前記平板状の樹脂部材１０２Ｂ４の色分け部分が視認可能になっており，図９の状態では，平板状の樹脂部材１０２Ｂ４における一方の色分け部１０２Ｂ４ｂが視認でき，図１１の状態では，平板状の樹脂部材１０２Ｂ４における他方の色分け部１０２Ｂ４ａが視認できるようになっている。色分けは，接続する母線の種類，もしくは，回路遮断器への給電電圧を識別するために用いている。具体的には，赤と白，赤と黒というように，各々で色相を違えたり，また，明度，彩度を違えて構成するとよい。また，色分けの他，母線の種類を文字によりＬ１，Ｎというように表示したり，供給電圧を文字により１００Ｖ，２００Ｖというように表示してもよい。また，色分けと文字による表示を合わせて行ってもよい。
【００４２】
さらに，図９に示したように，器体の電源側端子部１０２の前面側に，前記選択端子部１０２Ｂを幅方向に移動させる場合に，該選択端子部１０２Ｂ２に設けた略Ｔの字状の操作部１０２Ｂ２における首下部が弾性的に乗り越え可能な程度に凸部１０１ｂ８を設けて構成してもよい。これにより，選択端子部１０２Ｂを一方の位置から他方の位置に移動させるときに，凸部を乗り越えることにより適度なクリック感が得られ，作業者は，視覚的及び触覚的に選択端子部１０２Ｂを切替えたことを認識することができる。
【００４３】
このように回路遮断器１を構成することにより，器体の前面側から選択端子部１０２Ｂを臨んだ場合に，該選択端子部１０２Ｂは，前面と略平行な幅方向に移動して一方から他方にその位置を変えるため，前面側から見た選択端子部１０２Ｂの位置によって，回路遮断器に母線を選択的に接続する場合や，母線を接続した後であっても，回路遮断器がどの母線を選択して接続しているのかが直接的に把握しやすい。
どの母線を選択しているか，また，回路遮断器への供給電圧はいくらか，は前記開口部１０１ｂ３から視認できる表示部により識別できる。また，前記操作部１０２Ｂ２が器体外部に突出しているため，該操作部１０２Ｂ２の位置によっても識別することができる。
【００４４】
さらに，操作部１０２Ｂ２を把持して操作するため，接続状態を切替える際に工具を不要とでき，回路遮断器が複数存在する状態であっても，それぞれの回路遮断器に対して接続している母線を直接的に把握しやすく，切替や接続確認における作業性を向上させるとともに，作業をする者にとって誤認を生じさせにくい端子装置を有した回路遮断器を提供することができる。
【００４５】
（第２の実施形態）
次に，第２の実施形態に係る回路遮断器について図１２及び図１３を用いて説明する。
第１の実施形態との違いは，前記回路遮断器１の長手方向における器体側面の一部を切り欠き，該器体側面側から，前記選択端子部１０２Ｂを把持して，一方の位置から他方の位置に選択端子部１０２Ｂを移動可能にした点である。
【００４６】
本実施形態では，前記回路遮断器１の器体側面の一部を，前記選択端子部１０２Ｂの幅方向における側面１０２Ｂ６が器体外部に臨むように切り欠いて構成している。選択端子部１０２Ｂの構成は第１の実施形態と同様であるが，一方の位置及び他方の位置に移動させたときに，切り欠いた回路遮断器の器体側面の厚み分の段差ができるため，回路遮断器の長手方向の器体側面と，選択端子部１０２Ｂの幅方向の側面の面を合わせるよう，選択端子部１０２Ｂの幅方向の厚みを増して構成している。なお，選択端子部１０２Ｂの幅方向の厚みを増すことなくそのままとしてもよい。
【００４７】
これにより，作業者は，選択端子部１０２Ｂの位置を移動させるときに，操作部１０２Ｂ２を把持して移動させるのみならず，選択端子部１０２Ｂの幅方向の側面を把持して移動させることができるため，第１の実施形態と比較して選択端子部１０２Ｂをより移動させやすくなるとともに，該選択端子部１０２Ｂの位置を把握する際においても，前面側と側面側の２方向からの確認が行えるようになることにより，選択端子部１０２Ｂがどちらの位置にあるのかを，より簡易に把握することができ，選択端子部１０２Ｂの切替や接続確認における作業性を向上させるとともに，作業をする者にとって誤認を生じさせにくい端子装置を有した回路遮断器を提供することができる。
【００４８】
（第３の実施形態）
次に，第３の実施形態に係る回路遮断器について図１４乃至図１６を用いて説明する。
第２の実施形態との違いは，前記選択端子部１０２Ｂにおける操作部１０２Ｂ２を取り除き，回路遮断器１の前面側に設けた開口部１０１ｂ３全体を，回路遮断器に接続する母線の種類，もしくは，回路遮断器への給電電圧を識別するための表示部とした点である。
【００４９】
図１６には，選択端子部１０２Ｂにおける操作部１０２Ｂ２を取り除き，前記平板状の樹脂部材１０２Ｂ４を選択端子部１０２Ｂの孔部１０２Ｂ３に貫挿させた図を示している。
選択端子部１０２Ｂの前面側には，前記平板状の樹脂部材１０２Ｂ４と同様に，略中央部を境にして幅方向に色分けがなされている。選択端子部１０２Ｂが一方に位置するときには，前記平板状の樹脂部材１０２Ｂ４の一方側１０２Ｂ４ｂ及び選択端子部１０２Ｂの前面側の一方１０２Ｂｂの両方が回路遮断器１の器体に設けられた開口部１０２ｂ３から視認可能となる。また，他方に位置するときには，前記平板状の樹脂部材１０２Ｂ４の他方側１０２Ｂ４ａ及び選択端子部１０２Ｂの前面側の他方１０２Ｂ１の両方が回路遮断器１の器体に設けられた開口部１０２ｂ３から視認可能となる。
【００５０】
このように，選択端子部１０２Ｂの位置に応じて開口部から視認できる表示が開口部全体に亘って変化するため，回路遮断器の前面側から，回路遮断器に接続する母線の種類や回路遮断器への給電電圧の識別が大変行いやすいものとなる。なお，表示については，前述の第１の実施形態同様に，各々で色相を違えたり，明度，彩度を違えて構成するとよい。また，色分けの他，母線の種類を文字によりＬ１，Ｎというように表示したり，供給電圧を文字により１００Ｖ，２００Ｖというように表示してもよい。また，色分けと文字による表示を合わせて行うことにより，より識別性を向上させることができる。
【００５１】
（第４の実施形態）
次に，第４の実施形態に係る回路遮断器について図１７乃至図１９を用いて説明する。
第３の実施形態との違いは，回路遮断器１の器体における選択端子部１０２Ｂの前面側を取り除き，器体の外部に選択端子部１０３Ｂを露出させて配設した点である。
【００５２】
選択端子部１０３Ｂは，前記選択端子部１０２Ａと同様，内部に刃受を収納し，母線が差し込まれる部分が開口している。また，図１９に示したように，選択端子部１０３Ｂとケース１０１との取付けについては，器体１０１の一部に選択端子部の移動方向に合わせてスリット１０１ｂ４を設けて，該スリット１０１ｂ４を貫通するよう選択端子部１０３Ｂの外郭の取り付け面側に設けた軸１０３Ｂａを介して取付されている。前記軸１０３Ｂａの先部には，スリット１０１ｂ４から軸１０３Ｂａが抜けてしまわないよう軸１０３Ｂａの外形よりも大きく形成された抜止め部１０３Ｂｂが設けられている。
【００５３】
なお，ケース１０１への選択端子部１０３Ｂの取付けにあたっては，ケース１０１ａ，１０１ｂを組み合わせるときに，選択端子部１０３Ｂの軸１０３Ｂａを予めスリット１０１ｂ４に沿わせた上でケースを合わせる。また，刃受と主導体を接続するより線は，前記軸１０３Ｂａを中空とし，その内部を通して配設する。
【００５４】
選択端子部１０３Ｂを移動させる場合は，該選択端子部１０３Ｂの外郭を把持し，一方から他方の位置に幅方向に移動させる。選択端子部１０３Ｂは，回路遮断器の器体の幅方向の略半分の大きさに形成しているため，選択端子部１０３Ｂがどちらの位置にあるかは一目瞭然である。
【００５５】
回路遮断器に接続される母線の種類，もしくは供給電圧の大きさの識別のために，ケースの前面側に，選択端子部１０３Ｂの位置に応じて，Ｌ１及びＮという母線の種類を表わす文字や，１００Ｖ及び２００Ｖという供給電圧を文字を記載しておくとともに，選択端子部１３０Ｂの前面には矢印を記載し，選択端子部１０３Ｂの位置の移動に合わせて，矢印が母線の種類を表わす文字や供給電圧を表わす文字を指し示すように構成してもよい。
【００５６】
このように回路遮断器１を構成することにより，器体の前面側から選択端子部１０３Ｂを臨んだ場合に，該選択端子部１０３Ｂは，前面と略平行な幅方向に移動して一方から他方にその位置を変えるため，前面側から見た選択端子部１０３Ｂの位置によって，回路遮断器に母線を選択的に接続する場合や，母線を接続した後であっても，回路遮断器がどの母線を選択して接続しているのかが直接的に把握しやすい。
どの母線を選択しているか，また，回路遮断器への供給電圧はいくらか，は前記選択端子部１０３Ｂ自体の位置によって識別できる。
【００５７】
さらに，選択端子部１０３Ｂ自体を把持して操作するため，接続状態を切替える際に工具を不要とでき，回路遮断器が複数存在する状態であっても，それぞれの回路遮断器に対して接続している母線を直接的に把握しやすく，切替や接続確認における作業性を向上させるとともに，作業をする者にとって誤認を生じさせにくい端子装置を有した回路遮断器を提供することができる。
【００５８】
なお，選択端子部１０３Ｂの背面側及び該背面側と対向する器体の前面側に，それぞれ第３の実施形態と同様に互いに嵌合する凹部と凸部を設けて，選択端子部１０３Ｂを幅方向に移動するときのガイドとなる部分を設けて構成してもよい。
【００５９】
（第４の実施形態の変形例１）
次に，第４の実施形態の変形例１について図２０を用いて説明する。
第４の実施形態との違いは，前記スリット１０１ｂ４の形状を略Ｌの字状に形成し，選択端子部１０４Ｂの移動軌跡が，選択端子部１０４Ｂが一方の側面側から他方の側面側に移動するとともに，回路遮断器１の背面側から前面側に移動するように構成した点である。
【００６０】
この変形例では，選択端子部１０４Ｂは回路遮断器１の前面側からの平面視で前面と略並行に移動するが，背面から前面の方向に高さを違えて選択端子部１０４Ｂが移動するため，母線の高さを違えて配置する場合においても，前面側から見た選択端子部１０２Ｂの位置によって，回路遮断器に母線を選択的に接続する場合や，母線を接続した後であっても，回路遮断器がどの母線を選択して接続しているのかが直接的に把握しやすい。
さらに，選択端子部１０４Ｂ自体を把持して操作するため，接続状態を切替える際に工具を不要とでき，回路遮断器が複数存在する状態であっても，それぞれの回路遮断器に対して接続している母線を直接的に把握しやすく，切替や接続確認における作業性を向上させることができる。
【００６１】
（第４の実施形態の変形例２）
次に，第４の実施形態の変形例２について図２１を用いて説明する。
この変形例２は，変形例１におけるスリット１０１ｂ５の形状を，１０１ｂ６のように，略Ｌの字状の両端部同士を結ぶように，一方の側面側の背面側から，他方の側面側の前面側に向けて，器体の長手方向から選択端子部を臨んだときに斜め方向に形成した点である。
【００６２】
この場合においても，選択端子部１０４Ｂは回路遮断器１の前面側からの平面視で前面と略並行に移動するが，背面から前面の方向に高さを違えて選択端子部１０４Ｂが移動するため，母線の高さを違えて配置する場合においても，前面側から見た選択端子部１０２Ｂの位置によって，回路遮断器に母線を選択的に接続する場合や，母線を接続した後であっても，回路遮断器がどの母線を選択して接続しているのかが直接的に把握しやすい。
さらに，選択端子部１０４Ｂ自体を把持して操作するため，接続状態を切替える際に工具を不要とでき，回路遮断器が複数存在する状態であっても，それぞれの回路遮断器に対して接続している母線を直接的に把握しやすく，切替や接続確認における作業性を向上させることができる。
【００６３】
（第５の実施形態）
次に，第５の実施形態に係る回路遮断器について，図２２乃至図２８を用いて説明する。第１乃至第４の実施形態と比較すると，選択端子部１０６Ｂが，回路遮断器１の前面側からの平面視で前面と略並行に移動されて位置を違えて配設するよう形成される点は同じであるが，選択端子部１０６Ｂの移動方法が一方の位置から他方の位置に平行移動されるのではなく，回転移動する点が異なる。
【００６４】
回路遮断器１の器体は，第１の実施形態と同様，回路遮断器１を併設する方向を幅方向としたときに，該幅方向に分割するケース１０１ａ及び１０１ｂを重ね合わせて構成される。
そして，器体の長手方向の一端側に電源側端子を備える。該電源側端子のうち，固定端子部１０２Ａは器体の背面寄りに設けられ，選択端子部１０６Ｂは器体の前面寄りに回動自在に設けられる。
【００６５】
次に，選択端子部１０６Ｂについて詳細に説明する。
選択端子部１０６Ｂは，該選択端子部における前面側，背面側及び両側面側を器体外部に露出させるとともに，器体に対向する面の略中央部に回動軸１０６Ｂａを設けている。一方，回路遮断器１の器体には前記回動軸１０６Ｂａを軸支する孔部１０１ｂ７を設けて，選択端子部を回動自在に軸支する。
【００６６】
選択端子部１０６Ｂは，２つの樹脂部品１０６Ｂ２，１０６Ｂ３から構成されており，それぞれの部品を組み合わせることにより外郭を構成している。これら樹脂部品の固定はリベットにて行っている。また，前記回動軸１０６Ｂａは中空に形成され，該回動軸の先部には，軸の半径方向に突出形成された抜け止め部１０６Ｂｂが設けられている。
【００６７】
回路遮断器１の器体側には，前記選択端子部１０６Ｂを軸支するための孔部１０１ｂ７が設けられている。該孔部１０１ｂ７は，器体を構成するケース１０１ａ，１０１ｂそれぞれに半円状の凹部を設けて形成されている。回路遮断器を組み立てる際，ケース同士を組み合わせる時に，前記孔部１０１ｂ７に前記選択端子部１０６Ｂの軸部を嵌め込み，回路遮断器を形成する。
【００６８】
選択端子部１０６Ｂの内部には，第１の実施形態と同様，その内部に母線と接続するための端子として，断面が略徳利状の略コの字状の先部を絞った形状に成形された刃受１０６Ｂ１を収納されている。該刃受１０６Ｂ１は前記絞った形状の部分で母線を挟み込み，負荷側に電源を供給する。
【００６９】
選択端子部１０６Ｂの内に収納される刃受１０６Ｂ１の位置は，前記回動軸１０６Ｂａからみて一方の側面側（回動軸から偏った位置）に配設され，選択端子部を回動させることにより刃受１０６Ｂ１の位置が一方の側面側から他方の側面側に移動するように位置する。
【００７０】
選択端子部１０６Ｂの外郭において，刃受１０６Ｂ１が収納された側には，該外郭から，回路遮断器の器体と対向する方向に突出して形成された回り止め部１０６Ｂ４が設けられている。また，回路遮断器の器体側には，前記回り止め部１０６Ｂ４が当接して選択端子部の回転を規制する回り止めの当接部１０１ｃが形成されるとともに，選択端子部が回転する際に，突出した回り止め部の移動軌跡を逃げるように形成された回り止めの逃げ部１０１ｄが形成されている。
【００７１】
選択端子部１０６Ｂの刃受１０６Ｂ１と回路遮断器内部の主導体とはより線により接続されている。より線は，前記中空部の部分を通して，前記主導体と接続されており，また，選択端子部を回転させるときの妨げにならないよう，移動量分の余裕を持たせた長さとしている。
【００７２】
また，選択端子部１０６Ｂの外郭において，回路遮断器の前面側及び背面側には，それぞれ，回路遮断器に供給される電圧を示す表示部１０６Ｂ５，１０６Ｂ６が設けられている。本実施形態では，母線Ｌ２及びＬ１と接続するときに２００Ｖと表示され，母線Ｌ２及びＮと接続するときに１００Ｖと表示されるように表示部を設けている。
【００７３】
図２７及び図２８に選択端子部を回転させて端子の位置を移動させたときの模式図を示している。図２７及び図２８における（ａ）は，回路遮断器の前面側から臨んだ図であり，（ｂ）は，回路遮断器の電源側端子部側から臨んだ図である。図２７は回路遮断器に１００Ｖの電圧が供給される状態を示しており，図２８は回路遮断器に２００Ｖの電圧が供給される状態を示している。
【００７４】
それぞれの状態は，選択端子部１０６Ｂを回転することで成され，刃受１０６Ｂ１の位置は，一方の側面側から他方の側面側に移動する。そして，選択端子部１０６Ｂに設けられた表示部１０６Ｂ５もしくは１０６Ｂ６を回路遮断器の前面側から視認可能に設けたことにより，回路遮断器への供給電圧の識別は一目瞭然である。
【００７５】
なお，前記表示部には，回路遮断器に供給される電圧の他，接続する母線の種類を記載してもよい。また，第１の実施形態のように，それぞれで色分けを行って構成してもよい。回路遮断器の前面側からの識別においては，第１乃至第２の実施形態と比べて，回路遮断器の幅方向の全体を表示部とできる点で，表示をより広く設けることができ，電圧の表示や接続する母線の種類を文字で記載するときに，該文字の大きさをより大きく記載することができる。
【００７６】
このように回路遮断器を構成することにより，器体の前面側から選択端子部１０６Ｂを臨んだ場合に，該選択端子部１０６Ｂは，前面と略平行な幅方向に移動して一方から他方にその位置を変えるため，前面側から見た選択端子部１０６Ｂの位置によって，回路遮断器に母線を選択的に接続する場合や，母線を接続した後であっても，回路遮断器がどの母線を選択して接続しているのかが直接的に把握しやすい。
どの母線を選択しているか，また，回路遮断器への供給電圧はいくらか，は前記表示部１０６Ｂ５，１０６Ｂ６により識別できる。
【００７７】
さらに，選択端子部１０６Ｂ自体を把持して操作するため，接続状態を切替える際に工具を不要とでき，回路遮断器が複数存在する状態であっても，それぞれの回路遮断器に対して接続している母線を直接的に把握しやすく，切替や接続確認における作業性を向上させるとともに，作業をする者にとって誤認を生じさせにくい端子装置を有した回路遮断器を提供することができる。
【００７８】
なお，前記選択端子部１０６Ｂの大きさを，回路遮断器１の幅方向の大きさと同等にした実施例の他，該選択端子部１０６Ｂの大きさを，前記回動軸１０６Ｂａを境として，刃受けを備えない側の部分を，該刃受けに接続されない側の母線を避ける程度に除肉し，回路遮断器１の幅方向の大きさの略半分の大きさに形成してもよい。これにより，刃受けに接続されない側の母線が回路遮断器の前面側から，より直接的に視認でき，切替や接続確認における作業性を向上させるとともに，作業をする者にとって誤認を生じさせにくい端子装置を有した回路遮断器を提供することができる。
【００７９】
図２９及び図３０には，第４の実施形態並びに第５の実施形態の回路遮断器を複数併設した場合の図を示している。
いずれの場合においても，選択端子部の位置により回路遮断器に接続する母線の種類や供給する電圧を回路遮断器の前面側から一目瞭然に識別することができる。
このように，個々の回路遮断器に対して，接続する母線の種類や供給する電圧の大きさが識別しやすいことに加え，複数の回路遮断器を併設配置した場合においても，どの回路遮断器がどの母線を選択して接続しているのか，どの回路遮断器にいくらの電圧が供給されているのかが直接的に把握しやすい。
【産業上の利用可能性】
【００８０】
本発明は，分電盤に設けられる通常の回路遮断器に適用可能であり，２極回路遮断器のほか，例えば，３極回路遮断器などにも適用が可能である。
【符号の説明】
【００８１】
１  回路遮断器
１０１ａ  ケース
１０１ｂ  ケース
１０１ｂ３  開口部
１０２  電源側端子部
１０２Ａ  固定端子部
１０２Ｂ  選択端子部
１０３  負荷側端子部
１０４  固定接点
１０５  可動接点
１０６  可動接触子
１０７  開閉機構
１０８  ハンドル
１０９  リンク
１０２Ｂ１  刃受
１０２Ｂ２  操作部
１０２Ｂ３  孔部
１０２Ｂ５  凹部
１０２Ｂ４  平板状の樹脂部材
１０２Ｂ６  選択端子部の側面
１０１ｂ１  嵌め込み部
１０１ｂ２  凸部
１０１ｂ３  開口部
１０１ｂ４  スリット
１０１ｂ５  スリット
１０１ｂ６  スリット
１０２Ｂ  選択端子部
１０２Ｂ２  操作部
１０３Ｂ  選択端子部
１０３Ｂａ  軸
１０３Ｂｂ  抜け止め部
１０４Ｂ  選択端子部
１０５Ｂ  選択端子部
１０６Ｂ  選択端子部
１０６Ｂ１  刃受
１０６Ｂ２  樹脂部品
１０６Ｂ３  樹脂部品
１０６Ｂ４  回り止め部
１０６Ｂ５  表示部
１０６Ｂ６  表示部
１０１ｃ  回り止めの当接部
１０１ｄ  回り止め逃げ部
１０１ｂ７  孔部
１０１ｂ８  凸部
１０６Ｂａ  軸
１０６Ｂｂ  抜け止め部
【図１】
0005505879.tif 000002
【図２】
0005505879.tif 000003
【図３】
0005505879.tif 000004
【図４】
0005505879.tif 000005
【図５】
0005505879.tif 000006
【図６】
0005505879.tif 000007
【図７】
0005505879.tif 000008
【図８】
0005505879.tif 000009
【図９】
0005505879.tif 000010
【図１０】
0005505879.tif 000011
【図１１】
0005505879.tif 000012
【図１２】
0005505879.tif 000013
【図１３】
0005505879.tif 000014
【図１４】
0005505879.tif 000015
【図１５】
0005505879.tif 000016
【図１６】
0005505879.tif 000017
【図１７】
0005505879.tif 000018
【図１８】
0005505879.tif 000019
【図１９】
0005505879.tif 000020
【図２０】
0005505879.tif 000021
【図２１】
0005505879.tif 000022
【図２２】
0005505879.tif 000023
【図２３】
0005505879.tif 000024
【図２４】
0005505879.tif 000025
【図２５】
0005505879.tif 000026
【図２６】
0005505879.tif 000027
【図２７】
0005505879.tif 000028
【図２８】
0005505879.tif 000029
【図２９】
0005505879.tif 000030
【図３０】
0005505879.tif 000031
【図３１】
0005505879.tif 000032
【図３２】
0005505879.tif 000033
【図３３】
0005505879.tif 000034
【図３４】
0005505879.tif 000035